(57)【要約】【課題】通信経路に機械的接点を有する通信における接点不良を原因とした異常の要因を特定すること。【解決手段】画像形成装置本体と、画像形成装置本体と着脱自在な電装品に設けられ電装品の使用状況を記憶させる記憶手段と、画像形成装置本体と記憶手段との間の通信経路上に設けられた接続手段と、画像形成装置本体に設けられ、記憶手段と画像形成装置本体の制御手段との間の通信回数を計数する第一の計数手段と、記憶手段と制御手段との間のエラーによる通信リトライ回数を計数する第二の計数手段と、通信回数及び通信リトライ回数に基づいて通信異常の原因を診断する診断手段と、を備える。【選択図】図６
2016142890.tif 000002
【特許請求の範囲】
【請求項１】
画像形成装置本体と、
前記画像形成装置本体と着脱自在な電装品に設けられ前記電装品の使用状況を記憶する記憶手段と、
前記画像形成装置本体と前記記憶手段との間の通信経路上に機械的接点を有する通信手段と、
前記画像形成装置本体に設けられ、前記記憶手段と前記画像形成装置本体の制御手段との間の通信回数を計数する第一の計数手段と、
前記記憶手段と前記制御手段との間のエラーによる通信リトライ回数を計数する第二の計数手段と、
前記通信回数及び前記通信リトライ回数に基づいて通信異常の原因を診断する診断手段と、
を備えたことを特徴とする画像形成装置。
【請求項２】
前記診断手段は、
エラー発生頻度数の合計値、及び通信リトライ回数ごとの合計値を通信回数で割ったエラー発生頻度リトライ回数Ｎ回の値を組み合わせて通信異常の原因が機械的接点不良かノイズのいずれに起因しているかを診断することを特徴とする請求項１記載の画像形成装置。
【請求項３】
前記診断手段は、
通信リトライ回数の合計値を通信回数で割った値をエラー発生頻度合計値とする算出手段を有することを特徴とする請求項２記載の画像形成装置。
【請求項４】
前記診断手段は、
前記エラー発生頻度の発生履歴を前記記憶手段に格納する格納手段を有することを特徴とする請求項３記載の画像形成装置。
【請求項５】
前記診断手段は、
通信異常要因診断を行うタイミングを決定する決定手段を有することを特徴とする請求項４記載の画像形成装置。
【請求項６】
前記診断手段は、
通信異常要因診断後にその条件時の通信回数と通信リトライ回数を初期化する初期化手段を有することを特徴とする請求項５記載の画像形成装置。
【請求項７】
前記診断手段は、
診断された通信異常要因に応じて通信タイミングもしくは通信リトライ回数を増加させる変更手段を有することを特徴とする請求項６記載の画像形成装置。
【請求項８】
前記診断手段は、
通信回数、エラー発生頻度合計値、エラー発生頻度リトライＮ回の値を組み合わせて通信異常の原因が機械的接点不良またはノイズのいずれに起因しているかを診断し、診断内容に応じてサービスマンへの通知もしくは対処方法を明示する通知明示手段を有することを特徴とする請求項７記載の画像形成装置。
【請求項９】
前記診断手段は、
端子汚れによる接点不良と診断する際の経時と判断する通信回数を、トナーボトルを一本使い切るまでの通信回数の倍数と設定する第一の設定手段を有することを特徴とする請求項８記載の画像形成装置。
【請求項１０】
前記診断手段は、
通信リトライ回数を増加させる上限値は画像形成装置本体のパフォーマンスに影響を与えない最大値と設定する第二の設定手段を有することを特徴とする請求項９記載の画像形成装置。
【発明の詳細な説明】
【技術分野】
【０００１】
本発明は、画像形成装置に関する。
【背景技術】
【０００２】
画像形成装置において、印刷する際に使用されるトナーが充填されたトナーカートリッジにはトナー残量などの情報を保存する目的でメモリが実装された基板が装着されている。また、このユーザによって着脱可能なトナーカートリッジ上にあるメモリと画像形成装置に実装されているCPU(Central Processing Unit)との間でシリアル通信が行われ、情報のやりとりをしている。通信方式には無線/有線の二つの方式があるが、有線の方式の方が無線の方式に比べ送受信アンテナや無線IC(Integrated Circuit)を必要としないため、コストメリットがある。しかし、着脱可能な構成のため画像形成装置とトナーカートリッジとの間の通信経路上に機械的接点を有し、振動やトナー飛散によって接点不良が発生する恐れがある。
【０００３】
一方、電子機器装置において通信中にハードウェア異常や外来ノイズの影響によって通信異常が発生すると意図したとおりの制御にならず、問題が発生する。
しかしながら、通信リトライやパリティチェック等によって通信異常をリカバリーする技術が既に知られている。
【０００４】
引用文献１には、通信エラーを抑制する目的で、ノイズ発生源が動作していないときには通信リトライ回数を増加せず、ノイズ発生源が動作しているときにはある条件に基づいて算出された数だけリトライ回数を増加させることで通信エラーを抑制しつつ無用な再送処理による通信時間を抑制する技術が開示されている。
【発明の概要】
【発明が解決しようとする課題】
【０００５】
しかし、今までの故障検知技術では、通信経路上に機械的接点を有する有線の通信方式において振動やトナー飛散による接点汚れ等の接点不良を原因とした通信異常の要因を特定できないという問題があった。
【０００６】
そこで、本発明の目的は、通信経路に機械的接点を有する通信における接点不良を原因とした異常の要因を特定することにある。
【課題を解決するための手段】
【０００７】
上記課題を解決するため、請求項１に記載の発明は、画像形成装置本体と、前記画像形成装置本体と着脱自在な電装品に設けられ前記電装品の使用状況を記憶する記憶手段と、前記画像形成装置本体と前記記憶手段との間の通信経路上に機械的接点を有する通信手段と、前記画像形成装置本体に設けられ、前記記憶手段と前記画像形成装置本体の制御手段との間の通信回数を計数する第一の計数手段と、前記記憶手段と前記制御手段との間のエラーによる通信リトライ回数を計数する第二の計数手段と、前記通信回数及び前記通信リトライ回数に基づいて通信異常の原因を診断する診断手段と、を備えたことを特徴とする。
【発明の効果】
【０００８】
本発明によれば、通信経路に機械的接点を有する通信における接点不良を原因とした異常の要因を特定することができる。
【図面の簡単な説明】
【０００９】
【図１】本発明の一実施形態における全体構成図としての画像形成装置のハードウェアブロック図である。
【図２】図１に示したエンジン制御部と各トナーボトル搭載基板との接続関係を示すブロック図の一例である。
【図３】図１に示した画像形成装置の機能ブロック図の一例である。
【図４】図２に示したトナーボトルにおける機械的接点についての説明図である。
【図５】図１に示した画像形成装置におけるエラー診断実施判断を示すフローチャートの一例である。
【図６】エラー診断フローについて説明するためのフローチャートの一例である。
【図７】図１に示した画像形成装置における通信制御変更について説明するためのフローチャートの一例である。
【図８】図１に示した画像形成装置における通信異常要因が端子の座屈または新品ボトル不良であるとの判断について説明するための説明図である。
【図９】図１に示した画像形成装置における通信異常要因が端子の汚れであるとの判断について説明するための説明図である。
【発明を実施するための形態】
【００１０】
＜概要＞
本発明の実施の形態を説明する。本発明は、通信経路に機械的接点を有する通信制御に際して、以下の特徴を有する。
要するに、さまざまな条件時の通信エラーリトライ回数をカウントし、それを利用して通信経路に機械的接点を有する通信における異常の要因を特定することが特徴になっている。
上記記載の本発明の特徴について、以下の図面を用いて詳細に解説する。
【００１１】
＜実施の形態＞
［構成］
図１は、本発明の一実施形態における全体構成図としての画像形成装置のハードウェアブロック図である。
図１に示す画像形成装置(デジタル複写機)100の制御系は、画像形成動作の指定を受け付け、画像形成動作を設定するコントローラ101、プリンタエンジンの駆動制御等を行うエンジン制御部105、読取制御107、書込制御108、定着部109、作像制御部、及び電源制御部を有する。コントローラ101は、具体的には、ソフトウェアの制御等を司る。
【００１２】
コントローラ101は、CPU(Central Processing Unit)201、画像処理プロセッサ205、画像メモリ204、ROM(Read Only Memory)203、及びRAM(Random Access Memory)202等を備えている。
CPU201は、各種の処理動作を統括的に行うデバイスである。画像処理プロセッサ205は、主に画像形成を行うASIC(Application Specific Integrated Circuit)等で構成されるデバイスである。画像メモリ204は、画像データの処理に使用するデバイスである。ROM203は、制御用プログラムを固定的に記憶したデバイスである。RAM202は、各種情報を一時的に記憶するデバイスである。画像メモリは、デジタル複写機の動作条件全ての設定情報を記憶するデバイスであり、例えばNV(Non Volatile)-RAMが挙げられる。
【００１３】
コントローラ101は、外部通信機器からネットワークを介してLAN(Local Area Network)等で情報を送受信するLAN(Local Area Network)I/F(Inter/Face)206、ユーザーインターフェースとなる操作制御部102や所定のデータを格納するHDD(Hard Disk Drive)103と接続されている。また、コントローラ101は、FAXユニットであるFCU(Facsimile Control Unit)104や、エンジン制御部105等との通信を行うインターフェース等と接続されている。コントローラ101、操作制御部102、HDD103、及びFCU104はPCI(Peripheral Component Interface)バスで結ばれている。このコントローラ101は、操作制御部102や外部機器からLANインターフェース206を介して画像形成動作の指定を受け付け、画像形成動作を実行し、作成した画像をエンジン制御部105にPCIバスを介して伝達する。
【００１４】
エンジン制御部105は、主に各種の処理動作を行うCPU208、各種電装品に対して制御を行うASIC等の電装制御部211、定着の温度監視や加熱体の制御を行う定着制御部212、その他に各種情報を一時的に記憶するRAM210、制御用プログラムを固定的に記憶したROM209を有する。
ここで、コントローラ101、操作制御部102、HDD103、エンジン制御部105、書込制御部108、定着部109、DC、AC、及び各種電装品（トナーボトル90を除く）で画像形成装置本体80が構成されている。
【００１５】
図２は、図１に示したエンジン制御部と各トナーボトル搭載基板との接続関係を示すブロック図の一例である。
エンジン制御部105の配線基板はCPU208、プログラムや本発明で保存する内容を格納する不揮発性のROM209、制御時に使用する揮発性のRAM210を備える。ROM209はフラッシュROMとEEPROM等複数備えていても良い。トナーボトル90にはトナー残量等の情報を格納する不揮発性メモリであるEEPROM A401を搭載するトナーボトル基板A301、EEPROM B402を搭載するトナーボトル搭載基板B302、EEPROM C403を搭載するトナーボトル搭載基板C303、及びEEPROM D404を搭載するトナーボトル搭載基板D304が実装されている。トナーボトル90と画像形成装置本体80とは接続手段としての機械的接点、例えばコネクタを通じて接続され、CPU208とはハーネスを通じて接続されている。ここでは、カラー印刷可能な画像形成装置100を想定して４つのトナーボトル搭載基板A301〜D304が接続されているがモノクロ印刷のみ可能な場合のように基板が１つでも構わない。
【００１６】
図３は、図１に示した画像形成装置の機能ブロック図の一例である。
図３に示す画像形成装置80は、通信手段500、記憶手段501、第一の計数手段502、第二の計数手段503、制御手段504、診断手段505、画像領域判断手段513、加熱体選択手段514、加熱体駆動手段515、及び加熱体温度監視手段516を有する。
診断手段505は、第一の設定手段506、第二の設定手段507、格納手段508、決定手段509、初期化手段510、変更手段511、及び通知明示手段512を有する。
【００１７】
第一の計数手段502及び第二の計数手段503は、コントローラ101により実現され、診断手段505はエンジン制御部105により実現される。制御手段504はCPU201,208により実現され、画像領域判断手段513はコントローラ101により実現され、加熱体選択手段514及び加熱体駆動手段515、及び加熱体温度監視手段516は、エンジン制御部105により実現される。
【００１８】
通信手段500は、画像形成装置本体80と記憶手段501との間の通信経路上に機械的接点を有する手段であり、コネクタ601,603及びI/F207により実現される。
記憶手段501は、画像形成装置本体80と着脱自在な電装品の一種であるトナーボトル90に設けられトナーボトル90の使用状況を記憶する手段であり、EEPROM A401、EEPROM B402、EEPROM C403、及びEEPROM D404により実現される。
第一の計数手段502は、記憶手段501と画像形成装置本体の制御手段504との間の通信回数を計数する手段である。第二の計数手段503は、記憶手段501と制御手段504との間のエラーによる通信リトライ回数を計数する手段である。
診断手段505は、通信回数及び通信リトライ回数に基づいて通信異常の原因を診断する手段である。診断手段505は、エラー発生頻度数の合計値、及び通信リトライ回数ごとの合計値を通信回数で割ったエラー発生頻度リトライ回数N回の値を組み合わせて通信異常の原因が機械的接点不良かノイズのいずれに起因しているかを診断する機能を有しても良い。診断手段505は、通信リトライ回数の合計値を通信回数で割った値をエラー発生頻度合計値とする算出手段517を有してもよい。診断手段505は、エラー発生頻度の発生履歴を記憶手段501に格納する格納手段508を有してもよい。診断手段505は、通信異常要因診断を行うタイミングを決定する決定手段509を有してもよい。診断手段505は、通信異常要因診断後にその条件時の通信回数と通信リトライ回数を初期化する初期化手段510を有してもよい。診断手段505は、診断された通信異常要因に応じて通信タイミングもしくは通信リトライ回数を増加させる変更手段511を有してもよい。診断手段505は、通信回数、エラー発生頻度合計値、エラー発生頻度リトライN回の値を組み合わせて通信異常の原因が機械的接点不良またはノイズのいずれに起因しているかを診断し、診断内容に応じてサービスマンへの通知もしくは対処方法を明示する通知明示手段512を有してもよい。診断手段505は、端子汚れによる接点不良と診断する際の経時と判断する通信回数を、トナーボトル90を一本使い切るまでの通信回数の倍数と設定する第一の設定手段506を有してもよい。
ここで、「トナーボトル90を一本使い切るまでの通信回数の倍数」としたのは、「倍数」とすればトナーボトル90の交換本数が分かり、その値より画像形成装置をどれだけ使用しているかが分かり、判断に利用できるためめである。
診断手段505は、通信リトライ回数を増加させる上限値は画像形成装置本体のパフォーマンスに影響を与えない最大値と設定する第二の設定手段507を有してもよい。診断手段505は、エンジン制御部105により実現される。
【００１９】
エンジン制御105が有する定着制御部212は、定着制御手段600に対応する。定着制御手段600は、コントローラ101から受け取った画像情報から画像の領域を判断する画像領域判断手段513と、画像領域判断手段513にて判断された画像領域に対して定着部109の複数の加熱体のそれぞれを駆動するか否かを判断する加熱体選択手段514と、加熱体選択手段514にて選択された加熱体を加熱する加熱体駆動手段515と、を備える。
また、定着制御部212は、加熱体の温度状態を監視するためのセンサとして加熱体温度監視手段516を有する。
なお、本実施形態では画像領域判断手段514をエンジン制御部105内に搭載しているが、コントローラ101の画像処理プロセッサ205内に搭載し、判断結果をエンジン制御部105に通知するように構成しても良い。
【００２０】
読取制御部107では、ユーザが設置した用紙の画像を、スキャナのI/O制御や画像転送を行うSBU(Scanner Board Unit)が、モータ等の電装品を制御することで、CCDより画像を読み取り、読み取った画像をコントローラ制御101およびエンジン制御105の画像処理部にPCIバスを介して伝達する。
書込制御108では、コントローラ制御101や読取制御107からPCIバスを介して送られてきた画像データを、画像形成を行うLD(Laser Diode)ユニットやLED(Light Emitting Diode)ユニットに送信することで、用紙にパターンを書込み、プリントやコピー等の動作を行う。
また、画像形成装置100は、読取制御107から読み取った画像をコントローラ制御101に送った後、LANインターフェースを介してパーソナルコンピュータ等に転送することで、スキャナ動作を行う。
定着部109は複数の加熱体を持った定着ユニットであり、たとえば、サーマルヘッド等の発熱素子を主走査方向に複数備えた構成となっている。
【００２１】
図４は、図２に示したトナーボトルにおける機械的接点についての説明図である。
コネクタ603の先端が金属で構成されており、トナーボトル90に実装されている基板301側にも金属を用いた接点端子があり、トナーボトル90をセットするとコネクタ603の先端と基板301とが接触する。これによりCPU208とトナーボトル90側の基板301に搭載されたメモリとしてのEEPROM401との通信経路が確保される。この接点を機械的接点と称する。図２に示した他のトナーボトル搭載基板B(302)のメモリ、トナーボトル搭載基板C(303)のメモリ、トナーボトル搭載基板D(304)のメモリも同様である。
尚、図４において、コネクタ601、コネクタ603、及び基板602は、通信手段を構成している。
【００２２】
【表１】
2016142890.tif 000003
【００２３】
表１は、本発明で診断したい通信異常要因について説明するための表である。
表１は本発明における診断された通信異常要因に応じて、その内容の通知手段と対応方法を示す。通知手段は通信回線を通じてネットワークに接続されている場合には(1)の通知手段とすることがユーザに作業をさせずにすむため望ましい。
【００２４】
【表２】
2016142890.tif 000004
【００２５】
表２は、本発明でカウントする項目について示す表である。
それぞれのカウントする条件ごとに、通信回数、通信リトライ回数１回…Ｎ回、エラー発生頻度合計、エラー発生頻度リトライ回数Ｎ回を図２で説明した不揮発性メモリであるROM209に格納する。通信リトライ回数は後に説明する制御でリトライ回数を増加させた場合にはその数分だけ追加するものとする。また、エラー発生頻度はリトライ回数/通信回数で算出される。エラー発生頻度合計値はリトライ回数１回からＮ回までの合計値/通信回数で算出される。この値は現在、前回診断時、前々回診断時を保存する。エラー発生頻度通信回数Ｎ回はリトライ回数Ｎ回/通信回数で算出され、リトライ回数の最大値の数に応じて保存する量が増加する。各条件時のそれぞれの値は、トナーボトルが複数ある場合にはトナーボトルごとにそれぞれ保存するものとする。
【００２６】
［動作］
図５は、図１に示した画像形成装置におけるエラー診断実施判断を示すフローチャートの一例である。動作の主体は、CPU208である。
(S501)ある条件の通信回数が診断実施判断タイミングと一致している場合には、
(S502)へ進む。
診断判断タイミングは、例えばモータやソレノイドなどのノイズ源となる電装
品が動作する条件時は
間隔を短くし、ノイズ源となる電装品が動かない条件(例えばStandby等)時に
は間隔を長く設定する。
(S502)すべての条件のエラー発生頻度(現在)を確認し、他の条件と相対比較して異常
値となっている場合には、(S503)に進む。複数該当する場合にはすべて診断を
実施する。
(S503)エラー要因診断する。診断方法は、エラー診断フローチャートを参照のこと。
(S504)異常値が出た条件の通信回数及びリトライ回数として１回からＮ回の値を初期
化する。
【００２７】
図６は、エラー診断フローについて説明するためのフローチャートの一例である。
(S601)診断対象となっている異常値が新品検知してからの合計値(現在)か否かを判断
する。
S601/Yの場合は(S602)へ進み、S601/Nの場合は(S607)へ進む。
(S602)異常値となっているのが、新品検知してからの合計値(現在)１回目か否か判断する。
複数色トナーボトルを備えている場合には、他の色の新品検知してからの合計
値(現在)１回目の値を確認し、異常値となっていなければ(S603)と判断する精
度を上げることができる。詳細は図８で説明する。
S602/Yの場合は(S603)へ進み、S602/Nの場合は(604)へ進む。
(S603)端子の座屈による接点不良または、新品トナーボトル側の不良であると診断する。
(S604)主電源オンからの合計値の通信回数が一定値以上でかつ経時で増加傾向か否か
を判断する。詳細は図９で説明する。
S604/Yの場合は(S605)へ進み、S604/Nの場合はS606へ進む。
(S605)端子の汚れによる接点不良であると診断する。
(S606)外的要因であると診断する。
(S607)異常値がトナー補給時のエラー発生頻度(現在)か否かを判断する。
S607/Yの場合は(S608)へ進み、S607/Nの場合はS609へ進む。
(S608)振動による接点不良であると診断する。
(S609)異常値となっている条件時のエラー発生頻度リトライ回数が１回が異常値かつ、
エラー発生頻度リトライ回数が２回以上が他の条件と比較して相対的に高くな
いか否かを判断する。
S609/Yの場合は(S610)へ進み、S609/Nの場合は(S604)へ進む。
(S610)ノイズ混入であると診断する。
【００２８】
図７は、図１に示した画像形成装置における通信制御変更について説明するためのフローチャートの一例である。
(S701)通信タイミング変更回数が閾値Aよりも高いか否かを判断する。
(S702) (S701)で変更回数がＡより小さい場合には通信タイミングを変更する。
(S703) (S701)で変更回数がＡより大きい場合にはリトライ回数のMax回が上限値よ
りも低いか否かを判断する。例えば、上限値は装置のパフォーマンス影響を与
えない最大値であると設定する。
(S704) (S703)の判断結果がYesの場合には、リトライ回数を増加させる。
【００２９】
図８は、図１に示した画像形成装置における通信異常要因が端子の座屈または新品トナーボトル不良であるとの判断について説明するための説明図である。
前回の新品トナーボトル検知からの合計値３つ及び前々回の新品トナーボトル検知からの異常値以下で安定し、かつ１回目の新品トナーボトルの検知からの合計値が異常値の場合、端子の座屈または新品トナーボトルの不良による通信異常が発生していると判断する。すなわち、１つ前の新品トナーボトル検知前後の値の変化が少なければ、ノイズによる増加の可能性は低いと見ることができる。
【００３０】
図９は、図１に示した画像形成装置における通信異常要因が端子の汚れであるとの判断について説明するための説明図である。
主電源オンからの合計値、つまり総通信回数が一定値以上(例えばトナーボトルを10本交換するまでの通信回数)を満たし、かつ、新品トナーボトル検知からの合計値(今回)の診断一回目以降で異常値かつ新品トナーボトル検知からの合計値（前回）の３回の診断時の値と新品トナーボトル検知からの合計値(今回)の値が同等もしくは増加傾向にある場合にトナー飛散または腐食による端子の汚れが発生して接点不良となり、通信異常が発生していると判断する。
【００３１】
＜プログラム＞
以上で説明した本発明に係る画像形成装置は、コンピュータで処理を実行させるプログラムによって実現されている。一例として、プログラムにより本発明の機能を実現する場合の説明を以下で行う。
【００３２】
例えば、
画像形成装置本体と、画像形成装置本体と着脱自在な電装品に設けられ電装品の使用状況を記憶させる記憶手段と、画像形成装置本体と記憶手段との間の通信経路上に設けられた通信手段と、を備えた画像形成装置のコンピュータが読取可能なプログラムであって、
コンピュータに、
画像形成装置本体に設けられた第一の計数手段が、記憶手段と制御手段との間の通信回数を計数する手順、
第二の計数手段が、記憶手段と制御手段との間のエラーによる通信リトライ回数を計数する手順、
診断手段が、通信回数及び通信リトライ回数に基づいて通信異常の原因を診断する手順、
を実行させるためのプログラムが挙げられる。
【００３３】
このようなプログラムは、コンピュータに読み取り可能な記憶媒体に記憶されていてもよい。
【００３４】
＜記憶媒体＞
ここで、記憶媒体としては、例えばCD-ROM、フレキシブルディスク（FD）、CD-R等のコンピュータで読み取り可能な記憶媒体、フラッシュメモリ、RAM、ROM、FeRAM等の半導体メモリやHDDが挙げられる。
【００３５】
CD-ROMは、Compact Disc Read Only Memoryの略である。フレキシブルディスクは、Flexible Disk：FDを意味する。CD-Rは、CD Recordableの略である。FeRAMは、Ferroelectric RAMの略で、強誘電体メモリを意味する。
【００３６】
＜作用効果＞
以上より、本実施形態によれば、さまざまな条件時の通信エラーリトライ回数をカウントし、それを利用して判断するので、通信異常の対処方法を明示できるから異常を早期に解消できる。
また、本実施形態によれば、画像形成装置がどれだけ使用されているかが分かる。
さらに、本実施形態によれば、画像形成装置のパフォーマンスを落とすことなく、通信異常を解消できる可能性を向上させることができる。
【００３７】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３８】
８０    画像形成装置本体
９０    トナーボトル
１００    画像形成装置
１０１    コントローラ
１０２    操作制御部
１０３    ＨＤＤ
１０４    ＦＣＵ
１０５    エンジン制御部
１０６    ＡＲＤＦ
１０７    読取制御部
１０８    書込制御部
１０９    定着部
２０１、２０８    ＣＰＵ
２０２、２１０    ＲＡＭ
２０３、２０９    ＲＯＭ
２０４    画像メモリ
２０５    画像処理プロセッサ
２０６、２０７    Ｉ／Ｆ
２１１    電装制御部
２１２    定着制御部
３０１、３０２、３０３、３０４    トナーボトル搭載基板Ａ、Ｂ、Ｃ、Ｄ
４０１、４０２、４０３、４０４    ＥＥＰＲＯＭ  Ａ、Ｂ、Ｃ、Ｄ
５００    通信手段
５０１    記憶手段
５０２    第一の計数手段
５０３    第二の計数手段
５０４    制御手段
５０５    診断手段
５０６    第一の設定手段
５０７    第二の設定手段
５０８    格納手段
５０９    決定手段
５１０    初期化手段
５１１    変更手段
５１２    通知明示手段
５１３    画像領域判断手段
５１４    加熱体選択手段
５１５    加熱体駆動手段
５１６    加熱体温度監視手段
６００    定着制御手段
【先行技術文献】
【特許文献】
【００３９】
【特許文献１】特許第４３１１１７０号公報
【図１】
2016142890.tif 000005
【図２】
2016142890.tif 000006
【図３】
2016142890.tif 000007
【図４】
2016142890.tif 000008
【図５】
2016142890.tif 000009
【図６】
2016142890.tif 000010
【図７】
2016142890.tif 000011
【図８】
2016142890.tif 000012
【図９】
2016142890.tif 000013